(57)【要約】【課題】呼び鈴を備えた電子式ドアロックのキーパッドの数字キーも呼び鈴スイッチとして、電子式ドアロックのキーパッドの数字キーまたは呼び鈴のいずれか一方だけを押しても呼び鈴が鳴るようにし、室内で室外の人が訪問中であることを易しく認知するようにし、さらに室内の人が室外から人が入ってくることも易しく認知するようにした、自動で呼び鈴が鳴る電子式ドアロックを提供する。【解決手段】ドアの外側に設置され、ドアの開閉動作のためにパスワードを入力することができるように数字キーでなったキーパッドを備えた室外ユニットと、ドアの内側に設置され、前記室外ユニットから入力されるパスワードによるドアの開放及びドアロッキング信号によってドアの開閉を行う室内ユニットとを含み、操作の際に内部の人を呼び出すためにメロディーを出力するように、前記室外ユニットの所定箇所に呼び鈴ボタンが装着される呼び鈴を備えた電子式ドアロックであって、前記キーパッドの数字キーを押したとき、呼び鈴のボタンが操作されたことと同様にメロディーを出力するように構成される。【選択図】図１
2013532243.tif 000002
【特許請求の範囲】
【請求項１】
ドアの外側に設置され、ドアの開閉動作のためにパスワードを入力することができるように数字キーでなったキーパッドを備えた室外ユニットと、ドアの内側に設置され、前記室外ユニットから入力されるパスワードによるドアの開放及びドアロッキング信号によってドアの開閉を行う室内ユニットとを含み、操作の際に内部の人を呼び出すためにメロディーを出力するように、前記室外ユニットの所定箇所に呼び鈴ボタンが装着される呼び鈴を備えた電子式ドアロックにおいて、
前記キーパッドの数字キーを押したとき、呼び鈴のボタンが操作されたことと同様にメロディーを出力するように構成されたことを特徴とする、自動で呼び鈴が鳴る電子式ドアロック。
【請求項２】
前記ドアロックに設定されたパスワードを入力してロッキングを解除する記憶手段を備えたカード型や磁石型タッチキーをドアロックにタッチさせたときにも呼び鈴が鳴ってメロディーを出力するようにしたことを特徴とする、請求項１に記載の自動で呼び鈴が鳴る電子式ドアロック。
【請求項３】
前記呼び鈴ボタンを押したときに出力されるメロディー、キーパッドの数字キーを押したときに出力されるメロディー、及びタッチキーで玄関門を開いたときに出力されるメロディーが互いに違うように設定することができるようにしたことを特徴とする、請求項１に記載の自動で呼び鈴が鳴る電子式ドアロック。
【請求項４】
前記ドアロックに備えられたキーパッドの数字キーを押したとき、室内ビデオホンモニターに室外を表示して訪問者を確認することができるようにしたことを特徴とする、請求項１に記載の自動で呼び鈴が鳴る電子式ドアロック。
【請求項５】
室内ビデオホンモニターの作動の際、映像を録画するようにしたことを特徴とする、請求項１に記載の自動で呼び鈴が鳴る電子式ドアロック。
【発明の詳細な説明】
【技術分野】
【０００１】
本発明は自動で呼び鈴が鳴る電子式ドアロックに係り、より詳しくはドアを開くために電子式ドアロックのキーパッドを押せば自動で呼び鈴が鳴り、内部の人が外部人が入って来ることを易しく認知するようにした自動で呼び鈴が鳴る電子式ドアロックに関する。
【背景技術】
【０００２】
通常、住居施設及び保安の目的で外部人の出入を制限するためにドアに設置されるロックは、構造の整合によってドアの開閉を実現する機械式ドア開閉装置（ロック／キー）、カード式ドア開閉装置、音声認識ドア開閉装置、パスワード入力によってドア開閉を行う開閉装置など、種々のドア開閉装置が適用されている。
【０００３】
しかし、最近には、前述したドア開閉装置の中でも、機械式ドア開閉装置の機械的な摩耗などによって発生する問題を克服し、キーの紛失による不便さを無くすために、カード式やパスワード入力によってドアを開閉する電子式ドアロックが多く普及されて実用化している。
【０００４】
前記電子式ドアロックは、キーやロックなどの必要なしに電磁的なソレノイドの駆動でドアを開閉させるもので、ドアの外部には多数の入力ボタンが備えられ、幾つかの桁数を持つパスワードを入力させることができるようになっているか、あるいはカード接触によって既定義の暗号が一致した場合に限ってドアを開閉するようになっている。
【０００５】
このような電子式ドアロックは、一般的にインターホンなどに有線で連結されているので、外部で呼び鈴を押せば、室内で通話用送受話器を持ち上げるか通話用ボタンを押すことにより、モニターに外部の映像を表示して、外部の訪問者と通話を行うことができるように構成される。また、内部で訪問者の身元を確認した後、ドアを開放させるためにロッキング解除ボタンを押せば、室内のドアロック本体からドアに解除信号を出力してロッキングを解除させることができ、ロッキングが解除された状態では、さらに内部でドアのドアロックをロッキングさせる動作を行うようになっている。
【０００６】
しかし、現在、殆どの電子式ドアロックは、単にドアの開閉や保安に関する機能のみを行うようになっており、外部で内部を呼び出すための呼び鈴はドアロックとは別に設置されているため、そのような呼び鈴を設置することに作業工数及びコストが増大し、外観の面で外側ドアの美観を害する問題点があった。
【０００７】
前記のような従来問題点を解決するために、特許文献１の呼び鈴を備えた電子式ドアロックが提案されたことがある。前述した先登録の特許文献１の呼び鈴を備えた電子式ドアロックは、ドアの外側に設置され、ドアの開閉動作のためにパスワードを入力するためにキーパッドを備えた室外ユニットと、ドアの内側に設置され、前記室外ユニットから入力されるパスワードによるロッキング解除及びドアロッキング信号によってドア開閉を行う室内ユニットとからなる電子式ドアにおいて、内部人を呼び出す呼び鈴ボタンが操作されれば、一つ以上のメロディーが保存された音源格納部から既設定のメロディーが出力されるように前記室外ユニットの所定箇所に前記呼び鈴ボタンが装着される構造となっている。
【０００８】
前記のような従来の電子式ドアロックは、呼び鈴が単にドアロックに一体的に備えられているもので、呼び鈴を訪問者が押さなければならなく、さらに現在は呼び鈴の作動と同時に、室内に備えられている室内ビデオホンのモニターで室外を示すようになっているだけではなく、録画もできるように設置されている。
【０００９】
前記呼び鈴を押さなかったときには誰が訪問したのかも分からなく、また室内に人があっても、誰かが呼び鈴の押圧なしにドアロックに備えられたキーパッドの数字キーを用いてドアを開き室内に入ったときにも、人が入っていることを易しく認知することができない問題点がある。
【００１０】
また、ドアロックの場合、パスワードを入力するための頻繁な押圧操作で数字キーに跡が残るため、跡が残っているキーパッドの数字キーを用いて侵入するか、子供達によってパスワードが漏出したとき、侵入者キーパッドの数字キーを用いて易しく室内に侵入することができる問題点がある。
【先行技術文献】
【特許文献】
【００１１】
【特許文献１】大韓民国実用新案登録第４０００１５号明細書
【発明の概要】
【発明が解決しようとする課題】
【００１２】
本発明は前述した従来の問題点に鑑みてなされたもので、呼び鈴を備えた電子式ドアロックのキーパッドの数字キーも呼び鈴スイッチとして用いることができるようにすることで、電子式ドアロックのキーパッドの数字キーまたは呼び鈴のいずれか一方だけを押しても呼び鈴が鳴るようにして、室内で室外の人が訪問中であることを易しく認知するようにし、さらに室内の人が室外から人が入ってくることも易しく認知するようにした、自動で呼び鈴が鳴る電子式ドアロックを提供することにその目的がある。
【課題を解決するための手段】
【００１３】
前記のような本発明の目的は、ドアの外側に設置され、ドアの開閉動作のためにパスワードを入力することができるように数字キーでなったキーパッドを備えた室外ユニットと、ドアの内側に設置され、前記室外ユニットから入力されるパスワードによるドアの開放及びドアロッキング信号によってドアの開閉を行う室内ユニットとを含み、操作の際に内部の人を呼び出すためにメロディーを出力するように、前記室外ユニットの所定箇所に呼び鈴ボタンが装着される呼び鈴を備えた電子式ドアロックであって、前記キーパッドの数字キーを押したとき、呼び鈴のボタンが操作されたことと同様にメロディーを出力するように構成されたことを特徴とする、自動で呼び鈴が鳴る電子式ドアロックよって達成される。
【００１４】
前記ドアロックに設定されたパスワードを入力してロッキングを解除する記憶手段を備えたカード型や磁石型タッチキーをドアロックにタッチさせたときにも呼び鈴が鳴ってメロディーを出力するようにすることができる。
【００１５】
前記呼び鈴ボタンを押したときに出力されるメロディー、キーパッドの数字キーを押したときに出力されるメロディー、及びタッチキーで玄関門を開いたときに出力されるメロディーが互いに違うように設定することができる。
【００１６】
前記ドアロックに備えられたキーパッドの数字キーを押したとき、室内ビデオホンモニターに室外を表示して訪問者を確認することができる。
【００１７】
前記室内ビデオホンモニターの作動の際、映像を録画することができる。
【発明の効果】
【００１８】
このような本発明の自動で呼び鈴が鳴る電子式ドアロックは、呼び鈴を備えた電子式ドアロックのキーパッドの数字キーも呼び鈴のスイッチとして用いることができるようにすることで、電子式ドアロックのキーパッドの数字キー及び呼び鈴のいずれか一方のみを押しても呼び鈴が鳴るようにして、室内で室外の人が訪問中であることを易しく認知することができるようにし、さらに室内の人が室外から人が入ってくることも易しく認知することができるなどの効果がある。
【図面の簡単な説明】
【００１９】
【図１】本発明による自動で呼び鈴が鳴る電子式ドアロックを説明するブロック構成図である。
【発明を実施するための形態】
【００２０】
以下、本発明の好適な実施例を添付図面に基づいて詳細に説明する。
【００２１】
添付図面の図１は本発明による自動で呼び鈴が鳴る電子式ドアロックを説明するブロック構成図である。同図に示すように、本発明による電子式ドアロック１００は、ドアの外側に設置され、ドア開閉動作のためにパスワードを入力することができるように数字キーでなったキーパッド１０２及び非常電源供給モジュール１０６、及び外部で内部を呼び出すための呼び鈴ボタン１０４を備えた室外ユニット１１０と、ドアの内側に設置され、前記室外ユニット１１０から入力されるパスワードによるドア開放及びドアロッキング信号によってドアの開閉を行う室内ユニット１２０とからなる。
【００２２】
前記キーパッド１０２または非常電源供給モジュール１０６は、外部に露出しないように、その外面でスライド移動するかあるいは一定角度だけ回動するカバーによって保護される。
【００２３】
前記室内ユニット１２０は、パスワードが記憶されたメモリ部１２４、バッテリーを保管するバッテリーハウジング１２６、パスワード入力の際または呼び鈴ボタン１０４の操作の際、所定のボイスやメロディーなどを出力するように音源を格納する音源格納部１２８、前記呼び鈴ボタン１０４の操作の際に出力される音源を選択する音源選択ボタン１３０、前記音源をダウンロードする音源ダウンロード端子１３２、前記音源を出力するスピーカー１３４、前記ドアを開閉するための駆動メカニズム１３６、及び前記各構成要素を全般的に制御する制御部１２２を含んでなる。
【００２４】
前記音源ダウンロード端子１３２は、使用者が簡単に多様な音源をダウンロードすることができるように、例えば携帯電話やＰＤＡに格納された音源をもらうことができるように、対応接続コネクターでなる。
【００２５】
前記駆動メカニズム１３６は、ドア開閉スイッチ１３６ａ、自動ロッキングスイッチ１３６ｂ、強制ロッキングスイッチ１３６ｃなどを含む。このような構成は公知の電子式ドアロック装置の説明書に詳細に説明されているので、本発明では省略する。
【００２６】
一方、室内と室外の交信のためのマイク１７０及び室内モニター１５０、カメラ１６０などによって訪問者を確認することができる。このような構成も公知の訪問者を確認することができる電子式呼び鈴の説明書に詳細に説明されているので、本発明では省略する。
【００２７】
つぎに、本発明の作用を説明する。本発明の電子式ドアロック１００は、外部でキーパッド１０２を構成する数字キーを操作してパスワードを入力すれば、メモリ部１２４に設定されているパスワードとの一致可否を制御部１２２が判断し、ドアの開閉を制御するようになる。
【００２８】
この際、電子式ドアロック１００の使用において、従来には、訪問者が訪問したとき、電子式ドアロック１００とは別途に設置された呼び鈴を押して呼び出した。しかし、本発明によれば、ドアの室外ユニット１１０に露出した呼び鈴ボタン１０４を押せば、その呼び鈴ボタン１０４の操作信号が室内ユニット１２０の制御部１２２に伝送され、前記制御部１２２は音源格納部１２８に格納された所定のメロディーをスピーカー１３４を通じて出力させて、外部で訪問者が呼び出したことを知らせることにより、室内と室外の交信のためのマイク１７０及びスピーカー１３４によって訪問者と対話をすることができるようになる。
【００２９】
すなわち、呼び鈴ボタン１０４が電子式ドアロック１００に一体的に形成されているので、呼び鈴を別に設置しなくても良くてドアの外側部を美麗に飾ることができる。一方、前記呼び鈴ボタン１０４の操作によって出力されるメロディーは音源選択ボタン１３０の操作によって任意に変更することができる。前記音源選択ボタン１３０の操作は音源格納部１２８に格納された音源を聞いていずれか一つを選択することができるようにする。
【００３０】
また、前記音源格納部１２８は消去可能なメモリで構成され、よって使用者は音源格納部１２８に格納された音源データを削除し、他の音源データを格納することができる。前記音源データの格納は音源ダウンロード端子１３２を介して行われる。例えば、個人携帯端末機である携帯電話やＰＤＡ、ＰＭＰ、ＭＰ３プレーヤーなどからダウンロードすることができる。このために、前記音源ダウンロード端子１３２は、前記携帯電話やＰＤＡ、ＰＭＰ、ＭＰ３プレーヤーなどに提供されたコネクターと構造及び伝送プロトコルが一致するコネクターを提供しなければならない。
【００３１】
前記のように、訪問者が呼び鈴を押して、外部で訪問者が呼び出したことを知らせば、呼び鈴ボタン１０４の操作と同時にカメラ１６０が作動して、室内に設置された室内モニター１６０に室外の訪問者を表示するようになる。一方、呼び鈴ボタン１０４の操作と同時にカメラ１６０が作動して撮影した映像はメモリ部１２４に格納する。
【００３２】
また、ドアロックを用いて室内に出入しようとパスワードを入力するために前記キーパッド１０２の数字キーを押したとき、呼び鈴ボタン１０４を操作したことと同様に、音源格納部１２８に格納されたメロディーが出力される。
【００３３】
例えば、キーパッド１０２を操作するとか呼び鈴ボタン１０４を操作するとかするとき、操作信号が室内ユニット１２０の制御部１２２に印加され、前記制御部１２２は音源格納部１２８に格納された任意のメロディーをスピーカー１３４を通じて出力させることで、外部から訪問者が入って来ることを知らせるようになる。
【００３４】
一方、キーパッド１０２操作と同時にカメラ１６０が作動して、室内に設置されている室内モニター１５０に室外の訪問者を表示するようになる。また、呼び鈴ボタン１０４の操作と同様に、キーパッド１０２の操作と同時にカメラ１６０が作動して映像を撮影し、撮影された映像はメモリ部１２４に格納する。
【００３５】
一方、室内に入るために、前記ドアロックに設定されたパスワードを入力してロッキングを解除する記憶手段を備えたタッチキーをドアロックにタッチさせたときにも呼び鈴が鳴ってメロディーを出力するようにすることもできる。
【００３６】
前記呼び鈴ボタン１０４を押したときに出力されるメロディー、キーパッド１０２の数字キーを押したときに出力されるメロディー、及びタッチキーで玄関門を開いたときに出力されるメロディーが互いに違うように設定すれば、家族などの出入とその他の第３者の出入をメロディーの種類によって区別することができるようになる。したがって、本発明の技術が適用された電子式ドアロックを用いてドアを通じて出入するすべての出入者と呼び鈴を押したすべての人を録画して格納し、室内の人が易しく識別することができるので、安全性及び便利性を提供することができる利点がある。
【産業上の利用可能性】
【００３７】
本発明は、ドアを開くために電子式ドアロックのキーパッドを押せば自動で呼び鈴が鳴り、内部にいる人が外部人が入って来ることを易しく認知するようにした自動で呼び鈴が鳴る電子式ドアロックに適用可能である。
【符号の説明】
【００３８】
１００    電子式ドアロック
１１０    室内ユニット
１０４    呼び鈴ボタン
１２０    室外ユニット
１２８    音源格納部
１５０    室内モニター
１６０    カメラ
１７０    マイク
【図１】
2013532243.tif 000003
【国際調査報告】
2013532243.tif 000004
2013532243.tif 000005
2013532243.tif 000006
2013532243.tif 000007